(57)【特許請求の範囲】
【請求項１】
電子部品及びコネクタが配置された基板を収納するシールドケースの内部を第１の室と第２の室とに画成する隔壁と、
前記第２の室の側板を前記第１の室の側板よりも内側にずらして前記コネクタの取付位置の側方及び上方を開口とする凹部と、
前記隔壁より前記第２の室の側板の端部に当接する位置に突出する突部と、
を備えてなることを特徴とする電子機器のシールドケース。
【発明の詳細な説明】
【０００１】
【発明の属する技術分野】
本発明は電子機器のシールドケースに係り、特に電子機器及びコネクタが配置された基板を収納する電子機器のシールドケースに関する。
【０００２】
【従来の技術】
例えば、ＡＭ・ＦＭチューナなどの電子機器においては、ＡＭ用アンテナ線が接続されるＡＭ入力用コネクタと、ＦＭ用アンテナ線が接続されるＦＭ入力用コネクタと、ＦＭアンテナ線からのＦＭ受信波が入力されるＦＭフロントエンド部、ＡＭアンテナ線からのＡＭ受信波が入力されるＡＭフロントエンド部、選曲された周波数に固定して出力するＰＬＬ（フェーズド・ロック・ループ）部、ＦＭ受信波またはＡＭ受信波から音声信号を生成するＦＭ・ＡＭ検波・ステレオ復調部などの各種電子部品と、復調された音声信号をアンプ装置などに出力するための出力用コネクタなどがプリント基板の上面及び下面に配置されており、プリント基板の周囲を箱型に形成されたシールドケースで覆うように構成されている。
【０００３】
従来の電子機器のシールドケースでは、外部からのノイズを遮断するため、ケース内部に上記プリント基板を収納する密閉構造となっており、ケース側面には、ＡＭ入力用コネクタと、ＦＭ入力用コネクタと、出力用コネクタとが露出される構成となっている。
【０００４】
従来のシールドケースでは、プリント基板上に半田付けされた出力用コネクタの側面に対向する位置にケーブル挿通用の開口を設けているため、この開口からアンプ装置などに接続されたケーブルが挿入されて出力用コネクタに接続される。
【０００５】
ところが、従来は、上記ケーブルがシールドケースの側方に引き出されるように構成されているが、例えば、アンプ装置などの周辺回路の位置関係によってはケーブルをシールドケースの上方に引き出す方が有利である場合がある。しかしながら、従来の箱型のシールドケースでは、ケース側面にしか開口がないため、上面にケーブルの挿入口を有する立型コネクタを使用できず、使用可能なコネクタの種類が制限されていた。
【０００６】
このような問題を解消する方法として、例えば、図１（Ａ）に示されるように、シールドケース１１の側面に出力用コネクタ（図示せず）の取付位置の側方及び上方を開口とする凹部１２を設けることが検討されている。
【０００７】
シールドケース１１は、平板状の板金をプレス加工して前板１１ａ，右側板１１ｂ，左側板１１ｃ、背板１１ｄを箱型に形成したものであり、内部に電子部品やコネクタが実装されたプリント基板（図示せず）が収納される。また、シールドケース１１の内部は、隔壁１３により第１の室１４と第２の室１５とに画成されており、基板上の各電子部品が第１の室１４または第２の室１５に分散配置される。
【０００８】
そして、第２の室１５の側板１６は、第１の室１４の右側板１１ｂよりも内側に引っ込んだ位置で下方に曲げられており、側方及び上方を開口とする凹部１２を形成している。この凹部１２は、前述した出力用コネクタの配置位置に対応して設けられるため、基板上の出力用コネクタに対して側方または上方からケーブルを挿入することが可能になる。
【０００９】
このような形状に形成されたシールドケース１１は、プレス加工終了後、組立ラインに搬送されて、プリント基板に半田付けされて強度が高められる。
【００１０】
【発明が解決しようとする課題】
しかしながら、上記のように凹部１２が第２の室１５の側面に形成された構成とした場合、図１（Ｂ）に示されるように、互いに直交する向きに延在する隔壁１３と側板１６の端部とが隙間Ｓを介して離間した状態となる。
【００１１】
そのため、シールドケース１１にプリント基板が半田付けされる前の工程では、図１（Ａ）に示す状態で搬送されることになる。その際、隔壁１３と側板１６の端部１６ａととの間に隙間Ｓがあるため、側板１６の上面に荷重Ｆａが作用すると、Ａ点を支点として側板１６に曲げモーメントＭが作用して側板１６の端部１６ａが隔壁１３に近接するように変形してしまう。特に搬送中の振動などにより荷重Ｆａが作用することが考えられるが、その場合プリント基板に対して側板１６が傾斜した状態になり、側板１６の変形を修正する必要があるので、組立工程での作業効率が低下する。
【００１２】
そこで、本発明は上記課題を解決した電子機器のシールドケースを提供することを目的とする。
【００１３】
【課題を解決するための手段】
本発明は上記課題を解決するため、以下のような特徴を有する。
本発明は、電子部品及びコネクタが配置された基板を収納するシールドケースの内部を第１の室と第２の室とに画成する隔壁と、第２の室の側板を第１の室の側板よりも内側にずらしてコネクタの取付位置の側方及び上方を開口とする凹部と、隔壁より第２の室の側板の端部に当接する位置に突出する突部と、を備えており、プリント基板が半田付けされる前に荷重が加えられても隔壁の突部が第２の室の側板の端部に当接することで第２の室の側板が変形することが防止される。
【００１４】
【発明の実施の形態】
以下、図面と共に本発明の一実施例について説明する。
図２は本発明になる電子機器のシールドケースの一実施例を示す分解斜視図である。図３はシールドケースの組み付け状態を示す図であり、（Ａ）は正面図、（Ｂ）は平面図、（Ｃ）は背面図、（Ｄ）は右側面図、（Ｅ）は左側面図である。
図２及び図３（Ａ）〜（Ｅ）に示されるように、ＡＭ・ＦＭチューナなどの電子機器２０は、シールドケース２２の密閉された空間内部にプリント基板２４を収納する構成となっている。プリント基板２４には、ＦＭアンテナ線（図示せず）からのＦＭ受信波が入力されるＦＭフロントエンド部２６、ＡＭアンテナ線（図示せず）からのＡＭ受信波が入力されるＡＭフロントエンド部２８、選曲された周波数に固定して出力するＰＬＬ（フェーズド・ロック・ループ）部３０、ＦＭ受信波またはＡＭ受信波から音声信号を生成するＦＭ・ＡＭ検波・ステレオ復調部３２などの各種電子部品と、復調された音声信号をアンプ装置などに出力するための出力用コネクタ３４などが半田付けされる。
【００１５】
プリント基板２４の上面には、各回路のコイルや可変抵抗器及び出力用コネクタ３４が配置されており、プリント基板２４の下面には、ＩＣチップやディップ部品などが配置されている。また、出力用コネクタ３４は、シールドケース２２の右側面に対向する側面にケーブル（図示せず）が挿入される複数の挿入口３４ａが一列に設けられている。
【００１６】
また、ＡＭ入力用コネクタ３６とＦＭ入力用コネクタ３８は、シールドケース２２の前面に露出した状態で取り付けられている。ＡＭ入力用コネクタ３６は、正面に一対のＡＭアンテナ線が挿入される挿入口３６ａ，３６ｂを有し、下側に挿入口３６ａ，３６ｂに挿入されたＡＭアンテナ線をロックするための操作レバー３６ｃが回動可能に取り付けられている。また、ＡＭ入力用コネクタ３６は、下面側にプリント基板２４の係止孔（図示せず）に嵌合係止される一対の係止爪３６ｄ，３６ｅ（図２において３６ｄは隠れて見えない）を有し、左右側面にシールドケース２２の位置決め用凹部（後述する）に嵌合して位置決めされる一対の突部３６ｆ，３６ｇを有する。また、ＦＭ入力用コネクタ３８は、円筒部分が直接シールドケース２２の前面に固着されている。
【００１７】
また、ＦＭフロントエンド部２６を構成する各コイルは、プリント基板２４上に取り付けられたシールド部材４０により囲まれた空間内に収納された状態に配置されている。
【００１８】
シールドケース２２は、プリント基板２４の上面に配置された各電子部品を囲むように形成されたハウジング４２と、ハウジング４２の上面開口を閉塞するようにハウジング４２の上部に装着される上カバー４４と、プリント基板２４の下面に対向するようにハウジング４２の下部に装着される下カバー４６と、から構成されている。従って、プリント基板２４の上下面に半田付けされた各電子部品は、上記ハウジング４２と上カバー４４と下カバー４６により形成された密閉空間内部に収納され、これにより外部からの電磁波が遮断される。
【００１９】
ここで、上記シールドケース２２の各部の構成について説明する。
図４はハウジング４２の構成を示す図であり、（Ａ）は斜視図、（Ｂ）はＡ部を拡大して示す図である。図５はハウジング４２の構成を示す図であり、（Ａ）は正面図、（Ｂ）は平面図、（Ｃ）は背面図、（Ｄ）は右側面図、（Ｅ）は左側面図である。
【００２０】
図４（Ａ）（Ｂ）及び図５（Ａ）〜（Ｅ）に示されるように、ハウジング４２は、電磁波を遮断するシールド材からなる板金をプレス加工して枠体形状に形成されており、ＡＭ入力用コネクタ３６及びＦＭ入力用コネクタ３８が取り付けられる前板５０と、プリント基板２４の左方に位置する左側板５２と、プリント基板２４の右方に位置する右側板５４と、プリント基板２４の後方に位置する背板５６と、出力用コネクタ３４を露出させるように右側面（ケース壁面）に形成された凹部５８と、第２の室６６の右側面に配置されて凹部５８を形成する凹部側板６０とを有する。
【００２１】
また、ハウジング４２の内部空間には、プリント基板２４の上面をＦＭフロントエンド部２６及びＡＭフロントエンド部２８の電子部品が収納される第１の室６４と、ＰＬＬ部３０及びＦＭ・ＡＭ検波・ステレオ復調部３２の電子部品が収納される第２の室６６とが形成されている。第１の室６４と第２の室６６との間は、隔壁６８により仕切られており、第１の室６４には前板５０と平行に配された仕切板７０が横架されている。
【００２２】
前板５０は、円筒形状のＦＭ入力用コネクタ３８が固着される取付孔５０ａと、ＡＭ入力用コネクタ３６が嵌合される凹部５０ｂと、シールドケース２２を装置側筐体などに固定するためのねじ孔５０ｃ，５０ｄが設けられている。また、仕切板７０と前板５０との間には、凹部５０ｂに挿入されたＡＭ入力用コネクタ３６の両側を支持する支持板７２，７４が曲げ加工されている。尚、支持板７２，７４の端部は、仕切板７０に係合して補強部材としても機能する。
【００２３】
また、支持板７２，７４の上端には、ＡＭ入力用コネクタ３６の一対の突部３６ｆ，３６ｇが係合してＡＭ入力用コネクタ３６の取付位置を規制する位置決め用凹部７２ａ，７４ａが設けられ、仕切板７０にはＡＭ入力用コネクタ３６の背面の位置を規制するように突出する突部７０ａが設けられている。
【００２４】
隔壁６８、第２の室６６を囲む左側板５２、背板５６、凹部側板６０は、上端部分がＬ字状に曲げ加工されており、剛性が高められている。そして、出力用コネクタ３４が取り付けられる位置には、側方及び上方、下方に開口を有する凹部５８が形成されており、プリント基板２４上に配された出力用コネクタ３４を側方及び上方から視認できるようになっている。そのため、出力用コネクタ３４の挿入口３４ａにフラットケーブル（図示せず）の端子を挿入する際、出力用コネクタ３４の側方または上方から挿入作業が行える。
【００２５】
図３に示す上記出力用コネクタ３４は、側面に挿入口３４ａを有する伏せ型コネクタであるが、図６（Ａ）（Ｂ）に示されるように、上面にケーブル挿入口３５ａを有する立型コネクタ３５をプリント基板２４に取り付けることが可能になる。これにより、例えば、ユーザの要望に応じて側面に挿入口３４ａを有する伏せ型の出力用コネクタ３４または上面に挿入口３５ａを有する立型コネクタ３５のうち何れかを選択的に使用することが可能になる。
【００２６】
また、凹部側板６０は、上端が隔壁６８と背板５６との間に横架されており、下端がプリント基板２４の上面に当接する。さらに、凹部側板６０は、左側部が隔壁６８より水平方向に切起こされた突部６８ａに当接する。これにより、凹部側板６０は、隔壁６８との間に隙間が形成されるが、上記突部６８ａ（図４（Ａ）（Ｂ）を参照）に当接して動作が規制されるので、組立前にぐらつくことが防止される。
【００２７】
また、背板５６の出力用コネクタ３４の側面に対向する部分には、背面側から出力用コネクタ３４の側面を覗けるように開口５６ａが設けられている。この開口５６ａは、四角形状に打ち抜かれており、右側面まで連続するコ字状に形成されている。
【００２８】
また、前板５０、左側板５２、右側板５４、背板５６、凹部側板６０には、上カバー４４の周縁部（後述する）を係止するための上部膨出部７６と、下カバー４６の周縁部（後述する）を係止するための下部膨出部７８とが所定間隔で突出している。尚、上部膨出部７６及び下部膨出部７８は、その断面形状がＲ形状になっており、上カバー４４及び下部膨出部７８の周縁部が乗り越えられるように形成されている。
【００２９】
また、左側板５２及び右側板５４の中間部分には、上カバー４４の脱落を防止する長方形状の上部係止孔８０と、下カバー４６の脱落を防止する長方形状の下部係止孔８２とが設けられている。
【００３０】
さらに、左側板５２、右側板５４、背板５６には、プリント基板２４の周縁部に半田付けされる固着部８４が設けられている。この固着部８４は、細長形状であり、プリント基板２４の周縁部に当接するように内側に折り曲げられた状態で半田付けされる。
【００３１】
図６はハウジング４２を構成する一部を部分的に示す図であり、（Ａ）は図５中Ａ−Ａ線に沿う断面図、（Ｂ）は図５中Ｂ−Ｂ線に沿う断面図、（Ｃ）は図５中Ｃ−Ｃ線に沿う断面図、（Ｄ）は図５中Ｄ−Ｄ線に沿う断面図である。
【００３２】
図６（Ａ）に示されるように、隔壁６８は、左側板５２と右側板５４との間に横架されており、上記突部６８ａの他にプリント基板２４に形成されたスリット（図示せず）に嵌合される嵌合部６８ｂ〜６８ｄと、プリント基板２４上のシールド部材４０に当接しないように形成された逃げ部６８ｅとが設けられている。
【００３３】
尚、嵌合部６８ｂは、細長形状に突出しており、プリント基板２４を貫通してプリント基板２４の下面側に半田付けされる。
【００３４】
図６（Ｂ）に示されるように、仕切板７０は、上記突部７０ａの他にプリント基板２４上に当接する当接部７０ｂと、当接部７０ｂの端部より下方に突出し、プリント基板２４に形成されたスリット（図示せず）に嵌合される嵌合部７０ｃ，７０ｄと、プリント基板２４上のシールド部材４０に当接しないように形成された逃げ部７０ｅと、支持板７２，７４の突起７２ｂ，７４ｂが嵌合される係止孔７０ｆ，７０ｇと、ＡＭ入力用コネクタ３６の背面に突出する位置合わせ用の突起（図示せず）が嵌合する係止孔７０ｈ，７０ｉとが設けられている。
【００３５】
図６（Ｃ）に示されるように、前板５０より内側に曲げられた支持板７２は、上記ＡＭ入力用コネクタ３６の取付位置を規制する位置決め用凹部７２ａと、仕切板７０の係止孔７０ｆに嵌合される突起７２ｂとを有する。
【００３６】
図６（Ｄ）に示されるように、前板５０より内側に曲げられた支持板７４は、上記ＡＭ入力用コネクタ３６の取付位置を規制する位置決め用凹部７４ａと、仕切板７０の係止孔７０ｇに嵌合される突起７４ｂとを有する。
【００３７】
図７は本発明の要部を拡大して示す図であり、（Ａ）は凹部側板６０が隔壁６８の突部６８ａに当接した状態を示す斜視図、（Ｂ）は凹部側板６０が隔壁６８の突部６８ａに当接した状態を示す側面図である。
【００３８】
図７（Ａ）（Ｂ）に示されるように、凹部側板６０の端部６０ａは、隔壁６８の下端より水平方向に切り起こしされた突部６８ａの先端６８ａ１に当接しており、Ｘ方向への変位が規制される。そのため、凹部側板６０は、上方からの押圧力Ｆａが上面に作用しても端部６０ａが隔壁６８の突部６８ａの先端６８ａ１に当接することで、例え搬送中の振動などで生じた押圧力Ｆａによる変形が防止される。よって、プリント基板２４が半田付けされる際に凹部側板６０の変形を修正するといった面倒な修正作業が不要となり、組立工程での作業効率が向上する。
【００３９】
このように、ハウジング４２は、隔壁６８の下端を切り起こすことでプリント基板２４が半田付けされる前に凹部側板６０が変形することがないので、変形防止に要するコストを比較的安価に抑えることができる。
【００４０】
図８は上カバー４４の構成を示す図であり、（Ａ）は正面図、（Ｂ）は平面図、（Ｃ）は背面図、（Ｄ）は右側面図、（Ｅ）は左側面図である。
【００４１】
図８（Ａ）〜（Ｅ）に示されるように、上カバー４４は、ハウジング４２の上部開口を閉塞する上面４４ａと、上面４４ａの前側に曲げられた前部係合部４４ｂと、上面４４ａの左側に曲げられた左側係合部４４ｃと、上面４４ａの右側に曲げられた右側係合部４４ｄと、逃げ部６８ｅに対応して右側に曲げられた右側係合部４４ｅと、上面４４ａの後側に曲げられた後側係合部４４ｆと、逃げ部６８ｅに対応して曲げられた係合部４４ｇとを有する。
【００４２】
上記前部係合部４４ｂ、左側係合部４４ｃ、右側係合部４４ｄ、右側係合部４４ｅ、後側係合部４４ｆには、ハウジング４２の前板５０、左側板５２、右側板５４、背板５６、凹部側板６０に設けられた上部膨出部７６に係合しやすいように所定間隔毎に切欠８３が設けられている。
【００４３】
また、上面４４ａには、ＡＭ入力用コネクタ３６の上面に当接してＡＭ入力用コネクタ３６を上方から保持するコネクタ保持部８７が凹設されている。さらに、上面４４ａの両側から下方に曲げられた複数の左側係合部４４ｃ及び複数の右側係合部４４ｄの中央部分に設けられた係止部８５には、ハウジング４２の上部係止孔８０に嵌合して脱落が防止される係止片８６が設けられている。
【００４４】
図９（Ａ）（Ｂ）に示されるように、前部係合部４４ｂ、左側係合部４４ｃ、右側係合部４４ｄ、右側係合部４４ｅ、後側係合部４４ｆは、その先端部分８８，９０がく字状に曲げ加工されており、この曲げ部分がハウジング４２の前板５０、左側板５２、右側板５４、背板５６、凹部側板６０に設けられた上部膨出部７６に乗り上げる過程で曲げ角度α、βが大きくなるように変形して上部膨出部７６との係合が容易に行える。そして、前部係合部４４ｂ、左側係合部４４ｃ、右側係合部４４ｄ、右側係合部４４ｅ、後側係合部４４ｆは、先端部分８８，９０が上部膨出部７６を乗り越えると、上部膨出部７６に係合して四辺での上方への脱落が防止される。
【００４５】
図１０（Ａ）（Ｂ）に示されるように、上面４４ａの両側から下方に曲げられた係止部８５の中央には、コ字状のスリット８５ａが形成され、係止片８６がこのスリット８５ａにより囲まれている。係止片８６は、下端が係止部８５と一体とされ、上端部８６ａが内側に食い込むように傾斜した状態に形成されている。
【００４６】
図１１（Ａ）（Ｂ）に示されるように、上カバー４４がハウジング４２の上部に装着されると、係止片８６は、上端部８６ａがハウジング４２の上部係止孔８０に嵌合する。これにより、上カバー４４は、外部からの衝撃が作用しても係止片８６の上端部８６ａが上部係止孔８０の周縁部分に当接してハウジング４２から脱落することが確実に防止される。
【００４７】
図１２（Ａ）（Ｂ）に示されるように、上カバー４４の上面４４ａに設けられたコネクタ保持部８７は、ＡＭ入力用コネクタ３６の上面に対向する位置に設けられ、上面４４ａよりも１段低い位置に形成され、且つＡＭ入力用コネクタ３６の上面に当接する一対の当接部８７ａがさらに下方に突出するように凹設されている。そのため、ＡＭ入力用コネクタ３６は、ハウジング４２の前板５０に設けられた凹部５０ｂとコネクタ保持部８７の当接部８７ａとの間で挟持され、がたつきの無い状態に保持される。
【００４８】
図１３は下カバー４６の構成を示す図であり、（Ａ）は正面図、（Ｂ）は底面図、（Ｃ）は背面図、（Ｄ）は左側面図、（Ｅ）は右側面図である。
【００４９】
図１３（Ａ）〜（Ｅ）に示されるように、下カバー４６は、ハウジング４２の下部開口を閉塞する下面４６ａと、下面４６ａの前側に曲げられた前部係合部４６ｂと、下面４６ａの左側に曲げられた左側係合部４６ｃと、下面４６ａの右側に曲げられた右側係合部４６ｄと、下面４６ａの後側に曲げられた後側係合部４６ｅと、逃げ部６８ｅに対応して曲げられた係合部４６ｆとを有する。
【００５０】
上記前部係合部４６ｂ、左側係合部４６ｃ、右側係合部４６ｄ、後側係合部４４ｅには、ハウジング４２の前板５０、左側板５２、右側板５４、背板５６、凹部側板６０に設けられた下部膨出部７８に係合しやすいように所定間隔毎に切欠９２が設けられている。
【００５１】
さらに、下面４６ａの両側から上方に曲げられた複数の左側係合部４６ｃ及び複数の右側係合部４６ｄの中央部分に設けられた係止部９４には、ハウジング４２の下部係止孔８２に嵌合して脱落が防止される係止片９５が設けられている。
【００５２】
図１４（Ａ）（Ｂ）に示されるように、前部係合部４６ｂ、左側係合部４６ｃ、右側係合部４６ｄ、後側係合部４６ｅは、その先端部分９６，９７がく字状に曲げ加工されており、この曲げ部分がハウジング４２の前板５０、左側板５２、右側板５４、背板５６、凹部側板６０に設けられた下部膨出部７８に乗り上げる過程で曲げ角度α、βが大きくなるように変形して下部膨出部７８との係合が容易に行える。そして、前部係合部４６ｂ、左側係合部４６ｃ、右側係合部４６ｄ、後側係合部４４ｅは、先端部分９６，９７が下部膨出部７８を乗り越えると、下部膨出部７８に係合して四辺での下方への脱落が防止される。
【００５３】
図１５（Ａ）（Ｂ）に示されるように、下面４６ａの両側から下方に曲げられた係止部９４の中央には、コ字状のスリット９４ａが形成され、係止片９５がこのスリット９４ａにより囲まれている。係止片９５は、下端が係止部９４と一体とされ、下端部９５ａが内側に食い込むように傾斜した状態に形成されている。
【００５４】
図１６（Ａ）（Ｂ）に示されるように、下カバー４６がハウジング４２の下部に装着されると、係止片９５は、下端部８６ａがハウジング４２の下部係止孔８２に嵌合する。これにより、下カバー４６は、外部からの衝撃が作用しても係止片９５の下端部９５ａが上部係止孔８２の周縁部分に当接してハウジング４２から脱落することが確実に防止される。
【００５５】
ここで、変形例について説明する。
図１７は変形例の要部を拡大して示す斜視図である。
図１７に示されるように、隔壁６８の突部６８ａの先端６８ａ１には、Ｘ方向に延在する溝６８ｂが設けられている。凹部側板６０の端部６０ａは、隔壁６８の突部６８ａの先端６８ａ１に開口する溝６８ｂに嵌合しており、Ｘ方向への変位が規制されると共に、直交するＹ方向の変位も規制される。
【００５６】
そのため、凹部側板６０は、Ｘ方向及びＹ方向の押圧力による変形が防止されるため、例え搬送中の振動などで生じた力がＸ方向またはＹ方向に作用してもＸ，Ｙ方向への変形が防止される。よって、プリント基板２４が半田付けされる際に凹部側板６０の変形を修正するといった面倒な修正作業が不要となり、組立工程での作業効率が向上する。
【００５７】
このように、ハウジング４２は、隔壁６８の下端を切り起こすことでプリント基板２４が半田付けされる前に凹部側板６０が変形することがないので、変形防止に要するコストを比較的安価に抑えることができる。
【００５８】
尚、上記実施例では、ＡＭ・ＦＭチューナを一例に挙げて説明したが、これに限らず、これ以外の電子機器にも適用できるのは勿論である。
【００５９】
【発明の効果】
上述の如く、本発明によれば、電子部品及びコネクタが配置された基板を収納するシールドケースの内部を第１の室と第２の室とに画成する隔壁と、第２の室の側板を第１の室の側板よりも内側にずらしてコネクタの取付位置の側方及び上方を開口とする凹部と、隔壁より第２の室の側板の端部に当接する位置に突出する突部と、を備えており、プリント基板が半田付けされる前に荷重が加えられても隔壁の突部が第２の室の側板の端部に当接することで第２の室の側板が変形することが防止される。さらに、隔壁の下端を切り起こすことでプリント基板が半田付けされる前に第２の室の側板が変形することがないので、プリント基板が半田付けされる際に第２の室の側板の変形を修正するといった面倒な修正作業が不要となり、組立工程での作業効率を向上させることが可能になる。
【図面の簡単な説明】
【図１】従来考えられていたシールドケースの一例を示す図であり、（Ａ）は斜視図、（Ｂ）は側面図である。
【図２】本発明になる電子機器のシールドケースの一実施例を示す分解斜視図である。
【図３】シールドケースの組み付け状態を示す図であり、（Ａ）は正面図、（Ｂ）は平面図、（Ｃ）は背面図、（Ｄ）は右側面図、（Ｅ）は左側面図である。
【図４】ハウジング４２の構成を示す図であり、（Ａ）は斜視図、（Ｂ）はＡ部を拡大して示す図である。
【図５】ハウジング４２の構成を示す図であり、（Ａ）は正面図、（Ｂ）は平面図、（Ｃ）は背面図、（Ｄ）は右側面図、（Ｅ）は左側面図である。
【図６】ハウジング４２を構成する一部を部分的に示す図であり、（Ａ）は図４中Ａ−Ａ線に沿う断面図、（Ｂ）は図４中Ｂ−Ｂ線に沿う断面図、（Ｃ）は図４中Ｃ−Ｃ線に沿う断面図、（Ｄ）は図４中Ｄ−Ｄ線に沿う断面図である。
【図７】本発明の要部を拡大して示す図であり、（Ａ）は凹部側板６０が隔壁６８の突部６８ａに当接した状態を示す斜視図、（Ｂ）は凹部側板６０が隔壁６８の突部６８ａに当接した状態を示す側面図である。
【図８】上カバー４４の構成を示す図であり、（Ａ）は正面図、（Ｂ）は平面図、（Ｃ）は背面図、（Ｄ）は右側面図、（Ｅ）は左側面図である。
【図９】上カバー４４の係合部の形状を示す図であり、（Ａ）は図８中Ｅ−Ｅ線に沿う縦断面図、（Ｂ）は図８中Ｆ−Ｆ線に沿う縦断面図である。
【図１０】上カバー４４の係止部８５の形状を示す図であり、（Ａ）は側面図、（Ｂ）は縦断面図である。
【図１１】上カバー４４の係止部８５がハウジング４２に係止された状態を示す図であり、（Ａ）は縦断面図、（Ｂ）は側面図である。
【図１２】上カバー４４の保持部８７を拡大して示す図であり、（Ａ）は平面図、（Ｂ）は縦断面図である。
【図１３】下カバー４６の構成を示す図であり、（Ａ）は正面図、（Ｂ）は底面図、（Ｃ）は背面図、（Ｄ）は左側面図、（Ｅ）は右側面図である。
【図１４】下カバー４６の係合部の形状を示す図であり、（Ａ）は図１３中Ｊ−Ｊ線に沿う縦断面図、（Ｂ）は図１３中Ｋ−Ｋ線に沿う縦断面図である。
【図１５】下カバー４６の係止部９４の形状を示す図であり、（Ａ）は縦断面図、（Ｂ）は側面図である。
【図１６】下カバー４６の係止部９４がハウジング４２に係止された状態を示す図であり、（Ａ）は側面図、（Ｂ）は縦断面図である。
【図１７】変形例の要部を拡大して示す斜視図である。
【符号の説明】
２０  電子機器
２２  シールドケース
２４  プリント基板
２６  ＦＭフロントエンド部
２８  ＡＭフロントエンド部
３０  ＰＬＬ（フェーズド・ロック・ループ）部
３２  ＦＭ・ＡＭ検波・ステレオ復調部
３４  出力用コネクタ
３６  ＡＭ入力用コネクタ
３８  ＦＭ入力用コネクタ
４０  シールド部材
４２  ハウジング
４４  上カバー
４６  下カバー
５０  前板
５２  左側板
５４  右側板
５６  背板
５８  凹部
６０  凹部側板
６４  第１の室
６６  第２の室
６８  隔壁
６８ａ  突部
６８ｂ  溝部
７０  仕切板
７２，７４  支持板
７６  上部膨出部
７８  下部膨出部
８０  上部係止孔
８２  下部係止孔
８５，９４  係止部
８６，９５  係止片
８７  コネクタ保持部
【図１】
0003815330.tif 000002
【図２】
0003815330.tif 000003
【図３】
0003815330.tif 000004
【図４】
0003815330.tif 000005
【図５】
0003815330.tif 000006
【図６】
0003815330.tif 000007
【図７】
0003815330.tif 000008
【図８】
0003815330.tif 000009
【図９】
0003815330.tif 000010
【図１０】
0003815330.tif 000011
【図１１】
0003815330.tif 000012
【図１２】
0003815330.tif 000013
【図１３】
0003815330.tif 000014
【図１４】
0003815330.tif 000015
【図１５】
0003815330.tif 000016
【図１６】
0003815330.tif 000017
【図１７】
0003815330.tif 000018